(57)【要約】【課題】  複数の排紙トレイの中から最も古く排紙が行われた排紙トレイを排紙先として選択し、その排紙先で印刷結果の排紙が行われるようにする印刷システムおよび印刷依頼装置および印刷装置を提供する。【解決手段】  印刷依頼装置であるＰＣ３００は１つまたは複数の印刷装置２００に最終排紙情報を問合せ（ステップ５０２）、印刷装置２００は最終排紙情報をＰＣ３００に送信し（ステップ５０５）、ＰＣ３００は、印刷装置２００から受信した最終排紙情報に基づいて、最後に排紙が完了してから最も長い時間経過している排紙部を決定し（ステップ５０７）、その排紙部で排紙が行われるように印刷ジョブを形成して送信する。【選択図】  図５
2008084106.tif 000002
【特許請求の範囲】
【請求項１】
印刷依頼を行う１または複数の印刷依頼装置と、
１または複数の排紙部をそれぞれ有し、前記印刷依頼装置からの印刷依頼に基づき印刷を実行する１または複数の印刷装置と
を具備し、
前記印刷装置は、
前記排紙部からの最終排紙時間を前記排紙部に対応して記憶する記憶手段
を具備し、
前記印刷依頼装置は、
前記印刷依頼に際して前記印刷装置に対して各排紙部毎の前記最終排紙時間を問い合わせる問合せ手段と、
前記問合せ手段による問合せに基づき前記最終排紙時間の中で該最終排紙時間から最も長い時間経過している排紙部を有する印刷装置を選択して該選択した印刷装置に対して該排紙部を指定した印刷依頼を行うように制御する制御手段と
を具備する印刷システム。
【請求項２】
前記印刷装置は、
前記問合せ手段による問合せに応答して前記記憶手段の記憶に基づき該印刷装置の有する排紙部の排紙部識別情報および該印刷装置を識別する印刷装置識別情報および該排紙部の最終排紙時間を前記印刷依頼装置に通知する通知手段
を具備し、
前記制御手段は、
前記通知手段により通知された前記排紙部識別情報および前記印刷装置識別情報および前記最終排紙時間に基づき該当最終排紙時間から最も長い時間経過している排紙部を有する印刷装置を選択する選択手段と、
前記選択手段により選択した印刷装置に対して前記排紙部識別情報で判別した排紙部を指定した印刷依頼を行う印刷依頼手段と
を具備する請求項１記載の印刷システム。
【請求項３】
前記印刷装置は、
前記問合せ手段による問合せに応答して前記記憶手段の記憶に基づき該印刷装置の有する排紙部の中で該当最終排紙時間から最も長い時間経過している排紙部を判別する判別手段と、
前記判別手段で判別した排紙部を識別する排紙部識別情報および該印刷装置を識別する印刷装置識別情報および該当最終排紙時間を前記印刷依頼装置に通知する通知手段
を具備し、
前記制御手段は、
前記通知手段により通知された前記排紙部識別情報および前記印刷装置識別情報および前記最終排紙時間に基づき該当最終排紙時間から最も長い時間経過している排紙部を有する印刷装置を選択する選択手段と、
前記選択手段により選択した印刷装置に対して前記排紙部識別情報で判別した排紙部を指定した印刷依頼を行う印刷依頼手段と
を具備する請求項１記載の印刷システム。
【請求項４】
１または複数の印刷装置に対する印刷依頼に際して、前記印刷装置に対して該印刷装置の有する１または複数の排紙部の最終排出時間を問い合わせる問合せ手段と、
前記問合せ手段による問合せに基づき前記最終排紙時間から最も長い時間経過している排紙部を有する印刷装置を選択して該選択した印刷装置に対して該排紙部を指定した印刷依頼を行う印刷依頼手段と
を具備する印刷依頼装置。
【請求項５】
排紙部毎に最終排紙時間を記憶する記憶手段と、
印刷依頼装置からの問合せに応答して前記記憶手段に記憶した前記排紙部毎の最終排紙時間を前記印刷依頼装置に通知する通知手段と、
前記印刷依頼装置からの所望の排紙部を指定した印刷依頼に基づき実行した印刷紙を該指定された排紙部に排紙する排紙制御手段と
を具備する印刷装置。
【請求項６】
排紙部毎に最終排紙時間を記憶する記憶手段と、
印刷依頼装置からの問合せに応答して前記記憶手段に記憶に基づき該当最終排紙時間から最も長い時間経過している排紙部を判別する判別手段と、
前記判別手段で判別した排紙部を識別する排紙部識別情報および該排紙部の最終排紙時間を前記印刷依頼装置に通知する通知手段と、
前記印刷依頼装置からの所望の排紙部を指定した印刷依頼に基づき実行した印刷紙を該指定された排紙部に排紙する排紙制御手段と
を具備する印刷装置。
【発明の詳細な説明】
【技術分野】
【０００１】
本発明は、印刷システムおよび印刷依頼装置および印刷装置に関する。
【背景技術】
【０００２】
従来より、社内に張り巡らされた通信網によって結ばれる複数のパーソナルコンピュータ（印刷依頼装置）のユーザが該通信網内の印刷装置を共有するネットワークプリンタと呼ばれる技術が存在する。
【０００３】
この共有された印刷装置では、複数ユーザからの印刷ジョブを受け付けて印刷が行われるので、排紙トレイに大量の印刷結果が蓄積され、印刷結果を取り出すときに他人の印刷結果を間違って持って帰ってしまうという問題が生じていた。
【０００４】
これに対して、特許文献１では、前回印刷した印刷データのホストと異なるホストの印刷データを印刷する際には、印刷結果をオフセット出力するように制御して、複数ホストからの印刷結果の仕分け作業を容易にする印刷方法及びその装置が提案されている。
【特許文献１】特開平５−２２４８４２号公報
【発明の開示】
【発明が解決しようとする課題】
【０００５】
しかし、特許文献１の技術では、オフセット機能を備えた印刷装置にしか適用することができない。
【０００６】
そこで、この発明は、複数の排紙トレイの中から最も古く排紙が行われた排紙トレイを排紙先として選択し、その排紙先で印刷結果の排紙が行われるようにする印刷システムおよび印刷依頼装置および印刷装置を提供することを目的とする。
【課題を解決するための手段】
【０００７】
上記目的を達成する為に、請求項１の発明は、印刷システムが、印刷依頼を行う１または複数の印刷依頼装置と、１または複数の排紙部をそれぞれ有し、前記印刷依頼装置からの印刷依頼に基づき印刷を実行する１または複数の印刷装置とを具備し、前記印刷装置は、前記排紙部からの最終排紙時間を前記排紙部に対応して記憶する記憶手段を具備し、前記印刷依頼装置は、前記印刷依頼に際して前記印刷装置に対して各排紙部毎の前記最終排紙時間を問い合わせる問合せ手段と、前記問合せ手段による問合せに基づき前記最終排紙時間の中で該最終排紙時間から最も長い時間経過している排紙部を有する印刷装置を選択して該選択した印刷装置に対して該排紙部を指定した印刷依頼を行うように制御する制御手段とを具備するように構成される。
【０００８】
また、請求項２の発明は、請求項１の発明において、前記印刷装置は、前記問合せ手段による問合せに応答して前記記憶手段の記憶に基づき該印刷装置の有する排紙部の排紙部識別情報および該印刷装置を識別する印刷装置識別情報および該排紙部の最終排紙時間を前記印刷依頼装置に通知する通知手段を具備し、前記制御手段は、前記通知手段により通知された前記排紙部識別情報および前記印刷装置識別情報および前記最終排紙時間に基づき該当最終排紙時間から最も長い時間経過している排紙部を有する印刷装置を選択する選択手段と、前記選択手段により選択した印刷装置に対して前記排紙部識別情報で判別した排紙部を指定した印刷依頼を行う印刷依頼手段とを具備する。
【０００９】
また、請求項３の発明は、請求項１の発明において、前記印刷装置は、前記問合せ手段による問合せに応答して前記記憶手段の記憶に基づき該印刷装置の有する排紙部の中で該当最終排紙時間から最も長い時間経過している排紙部を判別する判別手段と、前記判別手段で判別した排紙部を識別する排紙部識別情報および該印刷装置を識別する印刷装置識別情報および該当最終排紙時間を前記印刷依頼装置に通知する通知手段を具備し、前記制御手段は、前記通知手段により通知された前記排紙部識別情報および前記印刷装置識別情報および前記最終排紙時間に基づき該当最終排紙時間から最も長い時間経過している排紙部を有する印刷装置を選択する選択手段と、前記選択手段により選択した印刷装置に対して前記排紙部識別情報で判別した排紙部を指定した印刷依頼を行う印刷依頼手段とを具備する。
【００１０】
また、請求項４の発明は、印刷依頼装置が、１または複数の印刷装置に対する印刷依頼に際して、前記印刷装置に対して該印刷装置の有する１または複数の排紙部の最終排出時間を問い合わせる問合せ手段と、前記問合せ手段による問合せに基づき前記最終排紙時間から最も長い時間経過している排紙部を有する印刷装置を選択して該選択した印刷装置に対して該排紙部を指定した印刷依頼を行う印刷依頼手段とを具備するように構成される。
【００１１】
また、請求項５の発明は、印刷装置が、排紙部毎に最終排紙時間を記憶する記憶手段と、印刷依頼装置からの問合せに応答して前記記憶手段に記憶した前記排紙部毎の最終排紙時間を前記印刷依頼装置に通知する通知手段と、前記印刷依頼装置からの所望の排紙部を指定した印刷依頼に基づき実行した印刷紙を該指定された排紙部に排紙する排紙制御手段とを具備するように構成される。
【００１２】
また、請求項６の発明は、印刷装置が、排紙部毎に最終排紙時間を記憶する記憶手段と、印刷依頼装置からの問合せに応答して前記記憶手段に記憶に基づき該当最終排紙時間から最も長い時間経過している排紙部を判別する判別手段と、前記判別手段で判別した排紙部を識別する排紙部識別情報および該排紙部の最終排紙時間を前記印刷依頼装置に通知する通知手段と、前記印刷依頼装置からの所望の排紙部を指定した印刷依頼に基づき実行した印刷紙を該指定された排紙部に排紙する排紙制御手段とを具備するように構成される。
【発明の効果】
【００１３】
請求項１の発明によれば、特定のトレイだけに複数の印刷ジョブによる印刷結果が排紙されて蓄積されることを防止することができる。
【００１４】
また、請求項２の発明によれば、特定のトレイだけに複数の印刷ジョブによる印刷結果が排紙されて蓄積されることを防止することができる。
【００１５】
また、請求項３の発明によれば、特定のトレイだけに複数の印刷ジョブによる印刷結果が排紙されて蓄積されることを防止することができる。
【００１６】
また、請求項４の発明によれば、接続される印刷装置に対して、特性のトレイにだけ複数の印刷ジョブによる印刷結果が排紙されて蓄積することを防止することができる。
【００１７】
また、請求項５の発明によれば、特性のトレイだけに複数の印刷ジョブによる印刷結果が排紙されて蓄積されることを防止する印刷システムを構成することができる。
【００１８】
また、請求項６の発明によれば、特性のトレイだけに複数の印刷ジョブによる印刷結果が排紙されて蓄積されることを防止する印刷システムを構成することができる。
【発明を実施するための最良の形態】
【００１９】
以下、本発明に係わる印刷システムおよび印刷依頼装置および印刷装置の実施例について添付図面を参照して詳細に説明する。
【００２０】
まず、印刷システム１００について図１を参照して説明を行う。
【００２１】
図１は、印刷システム１００の概略を示す構成図である。
【００２２】
印刷システムは、印刷装置２００−１、２００−２、・・・２００−ｎ（総称して印刷装置２００と呼ぶ）と印刷依頼装置であるパーソナルコンピュータ３００−１、３００−２、・・・３００−ｎ（総称して印刷装置３００と呼ぶ）とが通信回線１０に接続されている。
【００２３】
印刷装置２００は、ＰＣ３００から送信される印刷依頼である印刷ジョブを受け付けて、紙に印刷する。
【００２４】
そして、印刷装置２００は、１つ以上の排紙トレイを備える。
【００２５】
本実施例では、印刷装置２００は、３つの排紙トレイを備えるとして説明を行う。
【００２６】
なお、印刷システム１００に配置される印刷装置１００は、１つ以上配置されるように構成される。
【００２７】
ＰＣ３００は、印刷装置２００で印刷される印刷ジョブを作成し、印刷装置２００と通信を行って、作成した印刷ジョブを送信する送信先の印刷装置２００と送信先の印刷装置２００の排紙先である排紙トレイの位置を決定して、その印刷装置２００の排紙トレイに印刷結果を排紙するように印刷ジョブを生成して送信する。
【００２８】
なお、印刷システム１００に配置されるＰＣ３００は、１つ以上配置されるように構成される。
【００２９】
このように構成される印刷システム１００は、ＰＣ３００で印刷ジョブが作成されると、ＰＣ３００のプリンタドライバ３０５が、通信回線１０に接続される全ての印刷装置２００に対して、最も古く印刷結果を排紙した排紙トレイの位置とその排紙を完了した日時とを問い合わせ、その問い合わせの回答に基づいて印刷システム１００の中で最も古く排紙完了した排紙トレイを排紙先と決定する。
【００３０】
排紙先が決定されると、その排紙先で排紙が行われるように印刷ジョブが作成されて、その印刷ジョブが送信される。
【００３１】
このように処理されることで、通信回線１０に接続される印刷装置２００の排紙トレイがより均等に使用されるようになり、特定の排紙トレイにだけ複数ユーザの印刷結果が重なってそこに大量の印刷結果が蓄積されて他人の印刷結果を間違って持っていってしまう問題の発生を低減させることができる。
【００３２】
次に、印刷装置２００の構成について図２を参照して説明を行う。
【００３３】
図２は、印刷装置２００の構成の概略を示したブロック図である。
【００３４】
印刷装置２００は、通信インタフェース部（以下、図面と共に通信Ｉ／Ｆ部と記す）２０１、制御部２０２、日時計測部２０３、最終排紙情報記憶部２０４、プリンタエンジン２０６を備える。
【００３５】
通信Ｉ／Ｆ部２０１は、通信回線１０を通じて印刷ジョブなどの情報の授受を行う。
【００３６】
制御部２０２は、印刷装置２００の統括的な制御を行う。
【００３７】
日時計測部２０３は、最終排紙情報記憶部２０４が排紙を完了した日時を記憶する為に、現在の日時を計測する時計の役目を司る。
【００３８】
最終排紙情報記憶部２０４は、ＲＡＭ(Random Access Memory)で構成され、ＰＣ３００から行われる最終排紙情報の問い合わせに対して回答ができるように、自装置である印刷装置２００が備える１つ以上の排紙トレイの各排紙トレイで最後に排紙が完了した日時を記憶する。
【００３９】
そのために、最終排紙情報記憶部２０４は、排紙トレイａ用記憶部、排紙トレイｂ用記憶部、排紙トレイｃ用記憶部を備える。
【００４０】
各排紙トレイ用の記憶部の数は、自装置である印刷装置２００が備える排紙トレイの数と同じである（例えば本実施例では３つある）。
【００４１】
そして、例えば、印刷が行われて排紙トレイａで印刷結果の排紙が行われると、制御部２０２が、排紙トレイａで排紙が完了した日時を日時計測部２０３より取得して、最終排紙情報記憶部２０４の排紙トレイａ用記憶部に取得した日時を上書き記憶させる。
【００４２】
このようにして、最終排紙情報記憶部２０４内の各排紙トレイ用記憶部に各排紙トレイで排紙が完了した日時が記憶される。
【００４３】
また、最終排紙情報は、印刷装置２００の名前と、印刷装置２００内で最も古く排紙が完了した排紙トレイの名前と、その排紙が完了した日時についての情報である。
【００４４】
プリンタエンジン２０５は、印刷ジョブの印刷を実行し、排紙トレイに印刷した印刷結果を排紙する。
【００４５】
本実施例では、印刷装置２００は、排紙トレイａ、排紙トレイｂ、排紙トレイｃの３つ備えるように説明するが、実際は、１つ以上の排紙トレイを備える印刷装置２００であればよい。
【００４６】
次に、ＰＣ３００の構成について図３を参照して説明を行う。
【００４７】
図３は、ＰＣ３００の構成の概略を示したブロック図である。
【００４８】
ＰＣ３００は、通信Ｉ／Ｆ部３０１、表示部３０２、入力部３０３、制御部３０４、プリンタドライバ３０５を備える。
【００４９】
通信Ｉ／Ｆ部３０１は、通信回線１０と接続され印刷装置２００と印刷ジョブや最終排紙情報などの情報の授受を行う。
【００５０】
表示部３０２は、ディスプレイで構成され、ユーザに印刷ジョブの排紙先を表示する排紙先メッセージなどの情報を表示する。
【００５１】
入力部３０３は、キーボードやマウスで構成され、ユーザの指示を受け付ける。
【００５２】
制御部３０４は、ＰＣ３００の統括的な制御を行う。
【００５３】
プリンタドライバ３０５は、ＰＣ３００の図示しない記憶装置に記憶されるソフトウェアで、そのソフトウェアが実行された機能としてＰＣ３００はプリンタドライバ３０５を有する。
【００５４】
プリンタドライバ３０５は、通信回線１０に接続された印刷装置２００−１、２００−２、・・・２００−ｎで印刷可能な印刷ジョブの作成を行える。
【００５５】
また、プリンタドライバ３０５は、排紙先選択部３０６と排紙先通知部３０７とを有する。
【００５６】
排紙先選択部３０６は、通信回線１０に接続されるすべての印刷装置２００に最終排紙情報の問い合わせを行い、それに対する回答を受信して、得られた回答から最も古く排紙が完了した印刷装置２００の排紙トレイを排紙先として決定する。
【００５７】
そして、排紙先選択部３０６が決定した排紙先に排紙されるようにプリンタドライバ３０５によって印刷ジョブが作成されると、その印刷ジョブの送信が行われ、それと同時に表示部３０２に送信した印刷ジョブの排紙先を示す排紙先メッセージ画面が排紙先通知部３０７によって表示される。
【００５８】
次に、排紙先通知部３０７によってＰＣ３００の表示部３０２に表示される、送信した印刷ジョブの排紙先を示す排紙先メッセージについて図４を参照して説明をする。
【００５９】
図４は、ＰＣ３００より印刷ジョブが送信されると同時に表示部３０２に表示される、送信した印刷ジョブの排紙先を示す排紙先メッセージ画面４００の画面構成図である。
【００６０】
図４に示すように排紙先メッセージ画面４００には、印刷指示を受け付けて作成した印刷ジョブが印刷される印刷装置２００の名前と、その印刷装置２００で印刷結果が排紙される排紙トレイの名前とが画面上に表示される。
【００６１】
例えば、「受け付けた印刷ジョブは印刷装置Ｂの排紙トレイａに排紙します」と表示される。
【００６２】
このように表示されることで、印刷指示を行ったユーザは、どこに印刷結果を取りに行ったらよいのかが分かるので便利である。
【００６３】
次に、印刷システム１００で行われる処理の処理フローについて図５を参照して説明を行う。
【００６４】
図５は、印刷システム１００のＰＣ３００と印刷装置２００とで行われる処理フローについて示したフローチャートである。
【００６５】
ＰＣ３００では、ＰＣ３００を操作するユーザが入力部３０３を操作して、ユーザが印刷を所望する電子文書の印刷指示が行われる（ステップ５０１）。
【００６６】
印刷指示が行われると、プリンタドライバ３０５がそれを受け、排紙先選択部３０６が、通信回線１０に接続されている１つ以上の印刷装置２００のそれぞれに対して最終排紙情報の問い合わせを行う（ステップ５０２）。
【００６７】
ＰＣ３００より問い合わせを受けた印刷装置２００は、制御部２０２が、問い合わせを受け付けて（ステップ５０３）、最終排紙情報記憶部２０４に記憶される各排紙トレイ用記憶部に記憶される情報から最も古く排紙が完了した排紙トレイを選択して（ステップ５０４）、自装置である印刷装置２００で最も古く排紙が完了した排紙トレイの情報を最終排紙情報としてＰＣ３００に回答する（ステップ５０５）。
【００６８】
例えば、問い合わせを受けた印刷装置２００の最終排紙情報記憶部２０４に、「排紙トレイａ＿２００６／０８／１４／１７：００」「排紙トレイｂ＿２００６／０８／１４／１８：００」「排紙トレイｃ＿２００６／０８／１４／１８：３０」と記憶されていれば、最も古く排紙が完了した排紙トレイは排紙トレイａで完了日時が２００６／０８／１４の１７：００なので、「排紙トレイａ＿２００６／０８／１４／１７：００」を最終排紙情報として、問い合わせを行ったＰＣ３００に回答する。
【００６９】
ＰＣ３００は、印刷装置２００から最終排紙情報を受け付けると（ステップ５０６）、制御部３０４の図示しないキャッシュメモリに一時蓄える。
【００７０】
そして、印刷装置２００から得られた回答に基づいて、得られた回答の中から最も古く排紙を完了した印刷装置２００の排紙トレイを選択し、その排紙トレイを持つ印刷装置２００に対して印刷ジョブを送信してその排紙トレイで印刷結果が排紙されるように、排紙先選択部３０６によって排紙先が決定される（ステップ５０７）。
【００７１】
例えば、通信回線１０に３つの印刷装置２００−１、２００−２、２００−３が接続されていた場合に、それぞれの印刷装置２００から得られた回答が「印刷装置２００−１＿排紙トレイａ＿２００６／０８／１４／１７：００」「印刷装置２００−２＿排紙トレイｂ＿２００６／０８／１４／１７：４３」「印刷装置２００−３＿排紙トレイａ＿２００６／０８／１４／１７：２３」であったならば、最も古く排紙が完了した排紙トレイを持つ印刷装置は印刷装置２００−１であるので、印刷装置２００−１からの回答に基づいて、印刷装置２００−１の排紙トレイａに対して印刷ジョブの印刷結果が排紙されるように排紙先が決定される。
【００７２】
排紙先が決定されると、その排紙先で排紙が行われるように受け付けた印刷指示の印刷ジョブがプリンタドライバ３０５によって作成される（ステップ５０８）。
【００７３】
印刷ジョブが作成されると、印刷ジョブが送信され（ステップ５０９）、排紙先通知部３０７によって排紙先メッセージが図４に示すように表示部３０２に表示されて（ステップ５１０）、排紙先メッセージを見たユーザは、ユーザが印刷指示した電子文書の印刷ジョブが送信されて、その印刷ジョブの印刷結果はどの印刷装置２００の排紙トレイで排紙されるのかを把握する。
【００７４】
そして、印刷ジョブが送信された印刷装置２００では、受け付けた印刷ジョブの印刷を行って、印刷ジョブで指定された排紙トレイで排紙を行う（ステップ５１１）。
【００７５】
印刷装置２００で排紙が完了すると、完了した日時が、最終排紙情報記憶部２０４内の排紙が行われたトレイの排紙トレイ用記憶部内に上書き記憶される（ステップ５１２）。
【００７６】
たとえば、ＰＣ３００より印刷装置２００−１の排紙トレイａに排紙するように印刷ジョブが送信されると、印刷装置２００−１で印刷が行われて排紙が完了し、排紙完了前に印刷装置２００−１の最終排紙情報記憶部２０４の排紙トレイａ用記憶部に記憶されていた「排紙トレイａ＿２００６／０８／１４／１７：００」という情報が、排紙が完了した２００６／０８／１４／２０：００という日時を記憶させるために「排紙トレイａ＿２００６／０８／１４／２０：００」という内容に上書き記憶される。
【００７７】
なお、本実施例では、ＰＣ３００が印刷装置２００に行った最終排紙情報の問合せ（ステップ５０２）に対して、問合せを受けた印刷装置２００内で最も古く排紙が完了した排紙トレイを制御部２０２が１つ選択して（ステップ５０４）、その選択された排紙トレイの排出完了時に関する情報を最終排紙情報としてＰＣ３００に送信する（ステップ５０５）ように説明したが、ＰＣ３００より問合せを受けた印刷装置２００が、印刷装置２００が有するすべての排紙トレイの情報をＰＣ３００に送信して（ステップ５０５に相当）、ＰＣ３００で各印刷装置２００から送られた排紙トレイの情報に基づいて印刷指示を受けた印刷結果を排紙する排紙トレイを決定する（ステップ５０７に相当）ように構成してもよい。
【００７８】
その場合は、例えば、印刷装置２００−１からは「印刷装置２００−１＿排紙トレイａ＿２００６／０８／１４／１７：００」「印刷装置２００−１＿排紙トレイｂ＿２００６／０８／１４／１８：００」「印刷装置２００−１＿排紙トレイｃ＿２００６／０８／１４／１８：３０」の印刷装置２００−１が有する３つの排紙トレイについての情報がＰＣ３００に送信され、印刷装置２００−２からは「印刷装置２００−２＿排紙トレイａ＿２００６／０８／１４／１８：０１」「印刷装置２００−２＿排紙トレイｂ＿２００６／０８／１４／１７：４３」の印刷装置２００−２が有する２つの排紙トレイについての情報がＰＣ３００に送信され、印刷装置２００−３からは「印刷装置２００−３＿排紙トレイａ＿２００６／０８／１４／１７：２３」の印刷装置２００−３が有する１つの排紙トレイについての情報がＰＣ３００に送信されて、ＰＣ３００で排紙先の排紙トレイが決定される。
【００７９】
印刷装置２００−１から３つの排紙トレイの情報が、印刷装置２００−２から２つの排紙トレイの情報が、印刷装置２００−３から１つの排紙トレイの情報が送られたＰＣ３００は、送られた６つの排紙トレイの中から最も古く排紙が完了した排紙トレイを排紙先に決定する（ステップ５０７に相当）。
【００８０】
このように、印刷システム１００は、印刷装置２００から印刷装置２００が有するすべての排紙トレイの排出完了時に関する情報がＰＣ３００に送られて、ＰＣ３００で送られた情報に基づいて排紙先が決定されるように構成されてもよい。
【産業上の利用可能性】
【００８１】
この発明は、印刷装置において利用可能である。
【００８２】
この発明によれば、通信回線に接続された１つ以上の上印刷装置の排紙トレイの中から、最も古く印刷結果の排紙が完了された排紙トレイで排紙されるように印刷ジョブが作成されるので、特定の排紙トレイに複数ユーザの印刷結果が重なって大量に蓄積され他人の印刷結果が間違って持っていかれてしまうという問題の発生を低減させることができる。
【図面の簡単な説明】
【００８３】
【図１】印刷システム１００の概略を示す構成図。
【図２】印刷装置２００の構成の概略を示したブロック図。
【図３】ＰＣ３００の構成の概略を示したブロック図。
【図４】排紙先メッセージ画面４００の画面構成図。
【図５】印刷システム１００で行われる処理フローのフローチャート。
【符号の説明】
【００８４】
１０    通信回線
１００    印刷システム
２００、２００−１、２００−２、・・・２００−ｎ    印刷装置
２０１    通信インタフェース部
２０２    制御部
２０３    日時計測部
２０４    最終排紙情報記憶部
２０５    プリンタエンジン
３００、３００−１、３００−２、・・・３００−ｎ    パーソナルコンピュータ
３０１    通信インタフェース部
３０２    表示部
３０３    入力部
３０４    制御部
３０５    プリンタドライバ
３０６    排紙先選択部
３０７    排紙先通知部
４００    排紙先メッセージ画面
【図１】
2008084106.tif 000003
【図２】
2008084106.tif 000004
【図３】
2008084106.tif 000005
【図４】
2008084106.tif 000006
【図５】
2008084106.tif 000007